(57)【要約】      （修正有）【課題】ＴＳＩ画像処理（組織歪み画像化処理）したストレス画像を迅速に得ることが可能な超音波診断装置および超音波ストレス画像取得方法を提供する。【解決手段】超音波診断装置は、被検体の組織に対して負荷を与えその組織の所定の状態で、所定のストレイン処理条件を設定して前記組織に超音波を放射しその反射波から得られる受信信号に基づいてストレス画像データを得る条件設定ストレスデータ取得手段と、前記ストレイン処理条件を記憶する処理条件記憶手段と、この処理条件記憶手段により記憶された前記ストレイン処理条件を自動設定して、前記組織の異なる状態で、ストレス画像データを取得する自動設定ストレスデータ取得手段と、前記ストレス画像データに対し組織歪み画像化処理を行って組織歪み画像データを得る組織歪みデータ取得手段と、前記組織歪みデータに基づきストレス画像を表示する画像表示手段とを有する。【選択図】図１
2009148421.tif 000002
【特許請求の範囲】
【請求項１】
被検体の組織に対して負荷を与えその組織の所定の状態で、所定のストレイン処理条件を設定して前記組織に超音波を放射しその反射波から得られる受信信号に基づいてストレス画像データを得る条件設定ストレスデータ取得手段と、
前記ストレイン処理条件を記憶する処理条件記憶手段と、
この処理条件記憶手段により記憶された前記ストレイン処理条件を自動設定して、前記組織の異なる状態で、ストレス画像データを取得する自動設定ストレスデータ取得手段と、
前記ストレス画像データに対し組織歪み画像化処理を行って組織歪み画像データを得る組織歪みデータ取得手段と、
前記組織歪みデータに基づきストレス画像を表示する画像表示手段と、
を有することを特徴とする超音波診断装置。
【請求項２】
被検体の組織に対して負荷を与えその組織の所定の状態の第１のフェーズにおいて所定のストレイン処理条件を設定して各々異なるビューを得るために、超音波を放射しその反射波から得られる受信信号に基づいてストレス画像データを得る条件設定ストレスデータ取得手段と、
前記第１のフェーズにおける異なる前記ビューの各々に対して前記ストレイン処理条件を記憶する処理条件記憶手段と、
この処理条件記憶手段により前記第１のフェーズにおいて記憶された前記ストレイン処理条件を、前記組織の異なる状態の第２のフェーズの、前記第１のフェーズの前記ビューに対応するビューにおいて、自動設定してストレス画像データを取得する自動設定ストレスデータ取得手段と、
前記ストレス画像データに対し組織歪み画像化処理を行って組織歪み画像データを得る組織歪みデータ取得手段と、
前記組織歪み画像データに基づきストレス画像を表示する画像表示手段と、を有することを特徴とする超音波診断装置。
【請求項３】
前記処理条件記憶手段により記憶される前記ストレイン処理条件は、カラーマップを含んで複数あり、その前記第２のフェーズの前記ビューに対して前記第１のフェーズの対応する前記ビューのストレイン処理条件を自動的に設定するとともに、前記第２のフェーズの前記ビューの前記カラーマップのストレイン処理条件を記憶することを特徴とする請求項２記載の超音波診断装置。
【請求項４】
被検体の組織に対して負荷を与えその組織の所定の状態の第１のフェーズにおいて所定のストレイン処理条件を設定して各々異なるビューを得るために、超音波を放射しその反射波から得られる受信信号に基づいてストレス画像データを得る条件設定ストレスデータ取得ステップと、
前記第１のフェーズにおける前記ストレイン処理条件を記憶する処理条件記憶ステップと、
この処理条件記憶ステップにより前記第１のフェーズにおいて記憶された前記ストレイン処理条件を、前記組織の異なる状態の第２のフェーズの、前記第１のフェーズの前記ビューに対応するビューにおいて、自動設定してストレス画像データを取得する自動設定ストレスデータ取得ステップと、
前記ストレス画像データに対し組織歪み画像化処理を行って組織歪み画像データを得る組織歪みデータ取得ステップと、
を有することを特徴とする超音波ストレス画像取得方法。
【発明の詳細な説明】
【技術分野】
【０００１】
本発明は、超音波診断装置及び超音波画像表示装置に係わり、特に被検体から得られた超音波受信信号に基づいて心臓などのストレイン処理を行う超音波診断装置及び超音波ストレス画像取得方法に関する。
【背景技術】
【０００２】
超音波診断装置は、超音波振動子から被検体に超音波を放射しその反射波を受信し電気的に処理することにより、被検体内の画像を得るものであり、生体臓器の形態や機能の診断に用いられる。
【０００３】
また、被検体に運動や薬物などの負荷を与えそのときの超音波画像データを収集して、被検体の心筋の運動機能を評価するいわゆる、ストレスエコー法が被検体の組織例えば心臓の機能診断に広く行われている（例えば特許文献１参照）。
【０００４】
上記ストレスエコー法によって検査を行う場合、心臓に対して設定条件を決めて予め決められた位置からのデータを複数回取る必要がある。これら各位置から得られた画像データはビュー（撮像部位）と呼ばれ、また検査時の被検体のいくつかの状態、例えば心臓に運動負荷をかける場合にはその前の安静時、運動負荷時、その後の安静時などをフェーズという。ストレスエコー検査では、これら各フェーズで各ビューのデータを得て検査を行うが、従来は、あるフェーズで所定のビューを得た後、ビューの条件（ストレイン処理条件）を設定しなおしていた。
【０００５】
一方、心臓の映像化に関しては、心臓の収縮期における長軸方向の縮み情報や心臓の壁厚方向の伸長情報を短軸画像にマッピングして表示する、組織歪みイメージング（画像化）（ＴＳＩ）法が用いられる（例えば特許文献２参照）。このＴＳＩ法による画像処理は、通常、被検体からのデータが得られた後に行われる。このような場合にはデータを得てからＴＳＩ画像を得るまでに時間的余裕があるが、その場で画像を得るリアルタイムＴＳＩ法では、短時間でストレイン処理画像を得ることが求められる。
【０００６】
しかし上述のように、ビューを得る毎にストレイン処理条件を再度、設定することになると、ＴＳＩ画像データを得るまでに比較的時間がかかり、特にリアルタイムＴＳＩ画像を得る場合に問題があった。
【特許文献１】特開２００７−１３５９９４号公報
【特許文献２】特開２００７−４４４９９号公報
【発明の開示】
【発明が解決しようとする課題】
【０００７】
本発明は、上述のように、ストレイン画像データを得るためにその度毎にストレイン処理条件を設定しなければならず画像を得るまでに時間がかかるという従来の問題点に鑑みてなされたもので、ＴＳＩ画像処理（組織歪み画像化処理）したストレス画像を迅速に得ることが可能な超音波診断装置および超音波ストレス画像取得方法を提供することを目的とする。
【課題を解決するための手段】
【０００８】
本発明の請求項１によれば、被検体の組織に対して負荷を与えその組織の所定の状態で、所定のストレイン処理条件を設定して前記組織に超音波を放射しその反射波から得られる受信信号に基づいてストレス画像データを得る条件設定ストレスデータ取得手段と、前記ストレイン処理条件を記憶する処理条件記憶手段と、この処理条件記憶手段により記憶された前記ストレイン処理条件を自動設定して、前記組織の異なる状態で、ストレス画像データを取得する自動設定ストレスデータ取得手段と、前記ストレス画像データに対し組織歪み画像化処理を行って組織歪み画像データを得る組織歪みデータ取得手段と、前記組織歪みデータに基づきストレス画像を表示する画像表示手段と、を有することを特徴とする超音波診断装置を提供する。
【発明の効果】
【０００９】
本発明によれば、ＴＳＩ画像処理（組織歪み画像化処理）したストレス画像を迅速に得ることが可能な超音波診断装置および超音波ストレス画像取得方法が得られる効果がある。
【発明を実施するための最良の形態】
【００１０】
以下、本発明の実施形態について図面を用いて説明する。本発明の以下の実施形態では、例えば運動負荷をかける検査前後における被検体組織の４つの状態（フェーズ）に対して、各々撮像部位を変えた４つのビューを得る場合について説明する。この場合には、図３に示すように、被検体のフェーズ１〜４の各々に対して、ビュー１〜４が得られることになる。ここで各フェーズに対する各ビューをＰｉＶｊ（ｉ＝１〜４、ｊ＝１〜４）で表すことにする。したがって例えばフェーズ１ビュー１の画像はＰ１Ｖ１と表現される。各ビューを得るときのストレイン処理条件は、例えば、角度、ストレイン点の２点間ピッチ、カラーマップである。
【００１１】
例えば角度設定がストレイン処理条件であるとは、角度を変えて各ビューが得られることを意味する。このストレイン処理条件としての角度は最初仮に、自動的に設定されるが、操作者によりその角度を補正することが可能である。
【００１２】
超音波診断装置においてストレスエコー法に基づく診断を行うには、所定のストレイン処理条件が設定されて超音波が送信され、その反射超音波に基づいてそのときのストレス画像データが得られ、このストレス画像データからＴＳＩ画像処理（組織歪み画像処理）して組織歪み画像データを得、各ビューの画像としてストレス画像を得る。
【００１３】
図１は本発明の第１，第２の実施形態における超音波診断装置の全体構成を示す図である。図１に示すように、この超音波診断装置１０は、超音波の送信受信を行う複数の超音波振動子（図示せず）を内蔵する超音波プローブ１２と、この超音波プローブ１２に超音波送信のための駆動信号を供給する送信処理部１４と、超音波プローブ１２により受信された超音波を受信処理する受信処理部１６と、超音波の撮像を行う時のストレイン処理条件の設定を行うストレイン処理条件記憶設定部１８と、受信処理部１６により得られた反射超音波信号から各ストレス画像のデータを取得し記憶するストレス画像データ記憶部２０と、このストレス画像データ記憶部２０に記憶されたストレス画像データを用いてＴＳＩ画像処理（組織歪み画像化処理）を行うＴＳＩ画像処理部２２と、ＴＳＩ画像処理部２２において画像処理された画像を表示する表示部２４と、後述するようにストレイン処理条件の自動設定のプログラムなど、各種の入力を操作者が入力する入力部２６と、これら各部を全体として制御するシステム制御部２８とを有する。
【００１４】
＜第１の実施形態＞
第１の実施形態では、フェーズ１の各ビューにおいて入力されたストレイン処理条件が、フェーズ１〜４のときの各対応するビューを得る際に自動的に設定される。この実施形態におけるストレイン処理条件は、角度、ストレイン点の２点間ピッチ、カラーマップの３つである。
【００１５】
角度は、例えば心臓の短軸像において、角度補正をする際の中心を設定することになり、短軸像と長軸像ではストレイン点の２点間ピッチが異なる。同じフェーズでもビューによって、ストレインの大きさにより０〜＋６０やー２０〜０と上限、下限の変更に合わせてマップが変わるのでこれをカラーで表す。
【００１６】
この実施形態の超音波診断装置において、４つの各フェーズに対し各々４つのビューが得られる場合のストレイン処理条件の設定の動作を中心に、図３及び図２を用いて説明する。
【００１７】
図３において、例えばＰ１Ｖ１は、フェーズ１でビュー１のストレス画像データを示しており、その前の（１）は第１番目に得られることを意味する。同様に（２）〜（１６）は第２番目から第１６番目にデータが得られることを示す。
【００１８】
ストレイン処理条件は、各ビューでは異なるが、各フェーズではほぼ同じとなる。すなわち、ストレス画像データＰ２Ｖ１、Ｐ３Ｖ１，Ｐ４Ｖ１のストレイン処理条件はストレス画像データＰ１Ｖ１のストレイン処理条件と同じである。他のフェーズにおける各ビューについても同様である。
【００１９】
図２に示すフローチャートのステップＳ２０１において、まず、ストレイン処理条件の自動設定をどのように行うかを入力する。この処理は、操作者が入力部２６からマウスやキーボードを用いて入力することにより行われ、その制御信号はシステム制御部２８を介して、ストレイン処理条件記憶設定部１８に入力され記憶される。ストレイン処理条件は例えば、角度、ストレイン点の２点間ピッチ、カラーマップである。
【００２０】
ストレイン処理条件は上述のように、同一ビューについてほぼ同じでよい場合が多いので、例えばフェーズ１のビュー１で得たストレイン処理条件をフェーズ２，３，４において自動設定するかを操作者が入力部２６から入力、指定し、そのプログラムがストレイン処理条件記憶設定部１８に記憶される。この実施形態の場合、図３に示すように、Ｐ１Ｖ１〜Ｐ１Ｖ４のストレイン処理条件がＰ２Ｖ１〜Ｐ２Ｖ４、Ｐ３Ｖ１〜Ｐ３Ｖ４、Ｐ４Ｖ１〜Ｐ４Ｖ４のときにそのまま自動設定されるように入力されたとする。
【００２１】
フェーズ１の各ビューについてデータを取得するとき、自動的に、その直前の条件がストレイン処理条件としてストレイン処理条件記憶設定部１８に記憶される。
【００２２】
すなわち、ステップＳ２０２においてｉ＝１としてフェーズ１が特定され、ステップＳ２０３でｊ＝１としてビュー１が特定され、ステップＳ２０４においてｉが１を超えるかチェックされる。ｉ＝１なのでステップＳ２０５に移り、Ｐ１Ｖ１のストレス画像データが得られる時のストレイン処理条件がストレイン処理条件記憶設定部１８に記憶される。
【００２３】
次のステップＳ２０７で、Ｐ１Ｖ１のストレイン画像データが取得され、ストレス画像データ記憶部２０に記憶される。
【００２４】
次に、ステップＳ２０８においてｊ＝ｊ＋１とされ、ステップＳ２０９でｊが４を超えたかチェックされ、超えていなければステップＳ２０４に移り、ｉが１を超えたかチェックされる。ｉが１を超えない限り、すなわちフェーズ１の場合の各ビュー１〜４（図３におけるＰ１Ｖ１〜Ｐ１Ｖ４）では、ステップＳ２０５において、ストレス画像データ取得の際のストレイン処理条件がストレイン処理条件記憶設定部１８に記憶され、ステップＳ２０７において、Ｐ１Ｖ１〜Ｐ１Ｖ４のストレス画像データが得られる。
【００２５】
ステップＳ２０９においてｊが４を超えると、ステップＳ２１０に移り、ｉがｉ＋１とされ、次のステップＳ２１１においてｉが４を超えたかチェックされる。ｉが２のときステップＳ２１１からステップＳ２０３に戻り、ｊ＝１に設定される。次のステップＳ２０４では、ｉが１を超えているかチェックされる。今の場合、ｉが１を超えているのでステップＳ２０６に移り、そのときのストレイン処理条件を、先にフェーズ１で記憶したストレイン処理条件に基づいて自動設定するか否か調べられる。
【００２６】
フェーズ１でのストレイン処理条件に基づいて自動設定する場合にはその設定を自動的に行い、ステップＳ２０７でストレス画像データの取得を行う。
【００２７】
一方、ステップＳ２０６においてストレイン処理条件を自動設定しない場合には、ステップＳ２０５に移ってそのときのストレイン処理条件を自動的に記憶した後、ステップＳ２０７においてストレス画像データを取得する。
【００２８】
フェーズ２では、ビュー１〜４のデータ、すなわち図３のＰ２Ｖ１〜Ｐ２Ｖ４のストレス画像データが得られる。このときのストレイン処理条件は、各ビューともフェーズ１のときのストレイン処理条件を自動設定する。したがって、ステップＳ２０６においてストレイン処理条件が自動設定されステップ２０７に移る。ステップＳ２０６からステップＳ２０５に移り、ストレイン処理条件が記憶されることはない。
【００２９】
このようにして、フェーズ２の各ビューについてストレス画像データが得られ、ステップＳ２０９からステップＳ２１０においてｉが３にされる。次のステップＳ２１１でｉが３であるから、ステップＳ２０３に戻る。フェーズ３の場合もフェーズ２と同じように、フェーズ１の各ビューのストレイン処理条件が自動設定される。即ち、ステップＳ２０６からステップＳ２０７に移る。そして、フェーズ３の場合の各ビューに対応するストレス画像データ（Ｐ３Ｖ１〜Ｐ３Ｖ４）が得られる。
【００３０】
フェーズ３の各ビューのデータが得られると、ステップＳ２１０でｉが４とされステップＳ２１１から再びステップＳ２０３に戻る。
【００３１】
フェーズ４の場合も、ステップＳ２０４、Ｓ２０６、Ｓ２０７、Ｓ２０８、Ｓ２０９の経路をたどる。ステップＳ２０６においてストレイン処理条件がフェーズ１のときの条件に自動的に設定され、ステップＳ２０７では、Ｐ４Ｖ１、Ｐ４Ｖ２、Ｐ４Ｖ３、Ｐ４Ｖ４のビューデータ（ストレス画像データ）が得られる。
【００３２】
このようにして図３に示す各ビューに対応するストレス画像データＰ１Ｖ１〜Ｐ１Ｖ４、Ｐ２Ｖ１〜Ｐ２Ｖ４、Ｐ３Ｖ１〜Ｐ３Ｖ４、Ｐ４Ｖ１〜Ｐ４Ｖ４が得られ、ストレス画像データ記憶部２０に記憶される。
【００３３】
次のステップＳ２１２では、図１のＴＳＩ画像処理部２２において上記の１６のストレス画像データからＴＳＩ処理によって組織歪み画像データが得られる。この組織歪み画像データは表示部２４に送られ、表示部２４の表示画面上でストレス画像として表示される。
【００３４】
この実施形態によれば、フェーズ１は安静時であり、条件設定に時間をかけることが可能である。
【００３５】
＜第２の実施形態＞
次に第２の実施形態について図４及び図２のフローチャートを用いて説明する。図４における（１）〜（１６）は各ビューデータ（ストレス画像データ）が得られる順序を示す。
【００３６】
この実施形態におけるストレイン処理条件は、例えばＡ（角度）、Ｂ（カラーマップ）である。この場合のＡ（角度）は、Ｂと同じように自動的に設定されるが、その後補正することが可能である。
【００３７】
この実施形態においても、動作の流れは基本的に図２に示すフローチャートの順序となる。但し、ステップＳ２０６、Ｓ２０５、Ｓ２０７は、各ストレイン処理条件毎に、例えばストレイン処理条件が２つあれば１つ毎に、判定される。
【００３８】
図２に示すステップＳ２０１において、図１の入力部２６からストレイン処理条件の自動設定のプログラムが入力される。この自動設定のプログラムは、システム制御部２８を介してストレイン処理条件記憶設定部１８に記憶される。この実施形態では、図４に示すようにストレイン処理条件を入力したとする。なお、図４において各ストレイン処理条件Ａ，Ｂの前にあるカッコは取得した順序を示す。例えば、Ｐ２Ｖ１のストレイン処理条件（１）Ａは、（１）（Ｐ１Ｖ１）のときのストレイン処理条件であることを意味する。
【００３９】
即ち、フェーズ１では、各ビューのストレイン処理条件（Ａ；角度、Ｂ；カラーマップ）は各々記憶される。フェーズ２では、その前のフェーズ１の、対応するビューのストレイン処理条件に自動設定され、そのときのＢのストレイン処理条件は記憶される。例えばＰ２Ｖ１はフェーズ１におけるビュー１のＡ（角度），Ｂ（カラーマップ）に自動的に設定され、そのＰ２Ｖ１データを得るときのＢのストレイン処理条件が記憶される。
【００４０】
フェーズ３では、フェーズ２と同様に、フェーズ１の対応するビューのストレイン処理条件が自動設定されるが、そのときのストレイン処理条件は記憶されない。例えばＰ３Ｖ１はフェーズ１におけるビュー１のＡ，Ｂに自動設定されるだけであり、そのときのこれらのストレイン処理条件は記憶されない。
【００４１】
フェーズ４においては、フェーズ１のときのＡのストレイン処理条件とフェーズ２のときのＢのストレイン処理条件が自動設定されそのときのストレイン処理条件は記憶されない。例えば、Ｐ４Ｖ１では、フェーズ１のビュー１のＡのストレイン処理条件と、フェーズ２のＢのストレイン処理条件が自動設定される。
【００４２】
次に、図２のステップＳ２０２以降の動作について説明する。ステップＳ２０２でｉ＝１とされフェーズ１に特定される。ステップＳ２０３でｊ＝１とされＰ１Ｖ１が対象とされる。このときは、ステップＳ２０４からステップＳ２０５に移り、Ｐ１Ｖ１のストレイン処理条件Ａ，Ｂが記憶され、ステップＳ２０７でその時のストレス画像データが取得されてストレス画像データ記憶装置２０に記憶される。同様にして、フェーズ１では、ステップＳ２０５においてストレイン処理条件Ａ，Ｂが記憶され、ステップＳ２０７において、それらのときのビュー１〜４のストレス画像データが取得され、ストレス画像データ記憶装置２０に記憶される。
【００４３】
ステップＳ２０９でｉが１（フェーズ１）でｊが４を超えると、ステップＳ２１０でｉが２とされ、ステップ２１１からステップＳ２０３に戻り、フェーズ２についての動作となる。このときには、ステップＳ２０４からステップＳ２０６に移るが、ストレイン処理条件はフェーズ１の対応するビューのストレイン処理条件Ａ，Ｂが自動的に設定される。一方ストレイン処理条件Ｂについては、図２には示していないが、このフェーズ２におけるストレス処理条件が記憶される。
【００４４】
その後、ステップＳ２０７において、そのときのビューＰ２Ｖ１〜Ｐ２Ｖ４のストレス画像データが取得される。
【００４５】
フェーズ３についても、ステップＳ２０６においてフェーズ１の対応するビューのストレイン処理条件Ａ，Ｂが自動設定される。このフェーズ３においては、各ビューのストレイン処理条件Ａ，Ｂは記憶されない。ステップＳ２０７において各ビュー（Ｐ３Ｖ１〜Ｐ３Ｖ４）についてのストレス画像データが取得される。
【００４６】
ステップＳ２１０でｉが４とされ、ステップＳ２１１からステップＳ２０３に戻ると、ステップＳ２０３でｊが１に設定され、Ｐ４Ｖ１に対応するストレイン処理条件の設定及びストレス画像データの取得がなされる。
【００４７】
フェーズ４においては、ストレイン処理条件Ａについては、フェーズ１のストレイン処理条件に設定されるが、ストレイン処理条件Ｂについては、フェーズ２の対応するビューのストレイン処理条件が設定される。そのときのストレイン処理条件は記憶されない。
【００４８】
例えばｉ＝４でｊ＝１では、ステップＳ２０４からステップＳ２０６に移り、ストレイン処理条件が自動設定か否か調べられる。Ｐ４Ｖ１については、図４に示すように（１）Ａと（５）Ｂに自動設定される。即ちフェーズ１ビュー１（Ｐ１Ｖ１）のＡのストレイン処理条件と、フェーズ２のビュー１（Ｐ２Ｖ１）のストレイン処理条件が自動設定される。このときのストレイン処理条件の記憶はなされない。
【００４９】
フェーズ４についても各ビューについて、ステップ２０６においてストレイン処理条件が自動的に設定され、ステップＳ２０７でストレス画像データが取得され、ストレス画像データがストレス画像データ記憶部２０に記憶される。Ｐ４Ｖ１〜Ｐ４Ｖ４のストレス画像データが取得、記憶された後、ステップＳ２１２でＴＳＩ画像処理部２２において、これらのデータがＴＳＩ画像処理され、ステップ２１３で、表示部２４の表示画面上に表示される。
【００５０】
本発明のこの実施形態では、フェーズ４で、フェーズ１の対応する各ビューのＡ（角度）のストレイン処理条件を用いて自動設定しているが、Ｂ（カラーマップ）のストレイン処理条件についてはフェーズ２の各ビューの条件を用いている。
【００５１】
この実施形態によれば、フェーズ２以降は負荷後になり、限られた時間内での診断となるので設定時間を短くすることができる効果がある。
【００５２】
上記実施形態では、ストレイン処理条件として、角度、ストレイン点の２点間ピッチ、カラーマップ、あるいは角度とカラーマップを用いた場合について説明したが、ストレイン処理条件はこれらに限られない。
【００５３】
上記実施形態では、ストレス画像データとして４フェーズで各フェーズ内で４ビューを得る場合の実施形態について説明したが、本発明はこれ以外のフェーズやビューの場合にも適用可能である。
【００５４】
また、本発明における、各フェーズの各ビューで一旦記憶したストレイン処理条件の記憶、自動設定、パラメータ種は上記実施形態に限られず他の場合にも適用することができる。
【００５５】
本発明は上記実施形態に限られずその技術思想の範囲内で種々変形して実施することが可能であり、これらの変形例も本発明に含まれる。
【図面の簡単な説明】
【００５６】
【図１】本発明の実施形態の構成を示す図。
【図２】本発明の実施形態の動作を説明するためのフローチャートを示す図。
【図３】本発明の第１実施形態においてストレイン処理条件の記憶と自動設定の行い方を説明するための図。
【図４】本発明の第２実施形態においてストレイン処理条件の記憶と自動設定の行い方を説明するための図。
【符号の説明】
【００５７】
１０・・・超音波診断装置、
１２・・・超音波プローブ、
１４・・・送信処理部、
１６・・・受信処理部、
１８・・・ストレイン処理条件記憶設定部、
２０・・・ストレス画像データ記憶部、
２２・・・ＴＳＩ画像処理部、
２４・・・表示部、
２６・・・入力部、
２８・・・システム制御部。
【図１】
2009148421.tif 000003
【図２】
2009148421.tif 000004
【図３】
2009148421.tif 000005
【図４】
2009148421.tif 000006